(57)【要約】共振器（４）と、該共振器（４）を駆動して振動させ、決められた周波数を有する信号を該振動に応答して生成する集積電子回路（３）とを備えるタイムベースが記載される。共振器は基板（２）の上に支持され、該基板（２）に対して実質的に平行な平面内で第１の振動モードに応じて振動するように適合された集積されたマイクロメカニカル音叉共振器（４）である。音叉共振器は、基板（２）から実質的に垂直に延びるベース部材（５）と、ベース部材に接続され、実質的に平行なフォーク状刃（７、８）の少なくとも第１の組を含むフリースタンディング振動構造体（６）と、フォーク状刃（７、８）に隣接して配置され、集積電子回路（３）に接続された電極構造体（９）とを備える。
2004515992.tif 000002
【特許請求の範囲】
【請求項１】
共振器（４）と、
該共振器（４）を駆動して振動させ、決められた周波数を有する信号を該振動に応答して生成させる集積電子回路（３）と、
を備え、
前記共振器が基板（２）の上に支持され、該基板（２）に対して実質的に平行な平面内で第１の振動モードに応じて振動するように適合された集積されたマイクロメカニカル音叉共振器（４）であり、
該音叉共振器（４）が、
前記基板（２）から実質的に垂直に延びるベース部材（５）と、
前記ベース部材（５）に接続され、前記平面内に配置された実質的に平行なフォーク状刃（７、８）の少なくとも第１の組を含むフリースタンディング振動構造体（６）と、
前記フォーク状刃（７、８）に隣接して配置され、前記集積電子回路（３）に接続された電極構造体（９）と、
を備えることを特徴とするタイムベース。
【請求項２】
前記電子回路（３）が、前記マイクロメカニカル音叉共振器（４）と共に前記基板（２）上に集積されることを特徴とする請求項１に記載のタイムベース。
【請求項３】
前記フォーク状刃（７、８）の各々が、前記平面内に配置され、前記フォーク状刃（７、８）の第１の側部から実質的に垂直に延びる第１の電極部材（７２、８２）を含む櫛形構造体（７１、８１）を備え、前記電極構造体（９）が、前記フォーク状刃（７、８）の櫛形構造体（７１、８１）とかみ合い、前記第１の電極部材（７２、８２）に隣接する第２の電極部材（９３、９４）を含む少なくとも１つの櫛形電極構造体（９１、９２）を備えることを特徴とする請求項１に記載のタイムベース。
【請求項４】
前記電極部材（７２、８２、９３、９４）が円弧形状であることを特徴とする請求項３に記載のタイムベース。
【請求項５】
隣接する前記電極部材（７２、８２、９３、９４）間の距離が、前記フォーク状刃（７、８）の自由端（７ａ、７ｂ）でより短くなるように、前記フォーク状刃（７、８）の長さに沿って変化していることを特徴とする請求項３に記載のタイムベース。
【請求項６】
前記フォーク状刃（７、８）の動きを制限し、衝撃が加えられた場合に前記刃が前記電極構造体（９）にくっつくことを防止するために、前記フォーク状刃（７、８）の各々の自由端（７ａ、７ｂ）に隣接して、停止構造体（２８）が前記基板（２）上に形成されることを特徴とする請求項３に記載のタイムベース。
【請求項７】
衝撃が加えられたときに、前記フォーク状刃（７、８）が前記電極構造体（９）にくっつくのを防ぐために、前記電極部材（７２、８２、９３、９４）の先端（７２ａ、９３ａ）が、鋭い形状、又は少なくとも好適に小さな表面積であることを特徴とする請求項３に記載のタイムベース。
【請求項８】
衝撃が加えられたときに、前記フォーク状刃（７、８）が前記電極構造体（９）にくっつくのを防ぐために、前記電極部材（７２、８２、９３、９４）の少なくとも１つ（７２＊）が他のものより長いことを特徴とする請求項３に記載のタイムベース。
【請求項９】
前記電極構造体が、
前記音叉共振器（４）を駆動して振動させる、前記フォーク状刃（７、８）の第１の刃（７）に隣接する第１の電極構造体（９１）と、
前記音叉共振器（４）の振動から生じる信号を検知する、前記フォーク状刃（７、８）の他方の刃（８）に隣接する第２の電極構造体（９２）と、
を備え、
前記フリースタンディング振動構造体（６）が、前記ベース部材（５）を介して固定電位に接続され、
直流定電圧成分（Ｕｄｃ）が、前記第１の電極構造体（９１）又は前記フリースタンディング振動構造体（６）の一方又は両方に印加されることを特徴とする、前記請求項のいずれかに記載のタイムベース。
【請求項１０】
前記電極構造体（９）が、前記音叉共振器（４）を駆動して振動させるための、前記フォーク状刃（７、８）の一方又は両方に隣接して配置された少なくとも１つの電極構造体を備え、
前記フリースタンディング振動構造体（６）が、前記ベース部材（５）を介して固定電位に接続され、
前記少なくとも１つの電極構造体（９１、９２）又は前記フリースタンディング振動構造体（６）の一方又は両方に直流定電圧成分（Ｕｄｃ）が印加され、共振時のインピーダンス変化を検出することによって検知が行われることを特徴とする請求項１から請求項８のいずれかに記載のタイムベース。
【請求項１１】
前記第１の振動モードは、フォーク状刃（７、８）の両方が反対方向に振動する、対称振動モードであることを特徴とする、前記請求項のいずれかに記載のタイムベース。
【請求項１２】
実質的に前記フリースタンディング振動構造体（６）の形状を有する導電性パターン（３１）が、前記フリースタンディング振動構造体（６）の少なくとも一部の下で、前記基板（２）の表面上に形成され、前記フリースタンディング振動構造体（６）と前記導電性パターンとが同電圧になることを特徴とする請求項１に記載のタイムベース。
【請求項１３】
前記音叉共振器（４）の共振周波数に対する、エッチング不足又はエッチング過剰の影響を実質的に補償するために、前記フォーク状刃（７、８）に開口（６５）が形成されることを特徴とする請求項１に記載のタイムベース。
【請求項１４】
前記タイムベースによって生成された信号の周波数に対して、温度の影響を補償することを意図する集積された温度計測回路をさらに備えることを特徴とする、前記請求項のいずれかに記載のタイムベース。
【請求項１５】
前記基板の上に支持され、第１の共振器の共振周波数とは異なる共振周波数で振動するように適合された、第２のマイクロメカニカル音叉共振器（４＊）をさらに備え、前記タイムベースによって生成された信号の周波数に対して温度の影響を補償するために、両方の共振周波数間の温度依存周波数の差を使用することを特徴とする請求項１から請求項１４のいずれかに記載のタイムベース。
【請求項１６】
前記第１及び第２の音叉共振器（４、４＊）が同一のベース部材（５）を共用することを特徴とする請求項１５に記載のタイムベース。
【請求項１７】
前記第１の振動モードの共振周波数とは異なる共振周波数を有する第２の振動モードを駆動し且つ検知するように、前記フリースタンディング振動構造体（６）下に電極（１００、１２０）が配置され、前記タイムベースによって生成された信号の周波数に対する温度の影響を補償するために、両方の振動モードの共振周波数間の温度依存周波数の差を使用することを特徴とする請求項１から請求項１４のいずれかに記載のタイムベース。
【請求項１８】
前記第２の振動モードは、フォーク状刃（７、８）の両方が前記基板（２）に対して実質的に垂直な、反対方向に振動する垂直振動モードであることを特徴とする請求項１７に記載のタイムベース。
【請求項１９】
前記基板（２）及び前記音叉共振器（４）が、シリコン材料で作られることを特徴とする、前記請求項のいずれかに記載のタイムベース。
【発明の詳細な説明】
【０００１】
本発明は、タイムベースに関し、すなわち共振器と、その共振器を駆動して振動させ、及びその振動に応答して決められた周波数を有する信号を生成させる集積電子回路とを含む装置に関する。
【０００２】
タイムベース、すなわち周波数標準は、腕時計及び他の計時装置から複雑な通信機器に至るまで、広範囲にわたる電子機器に必要とされるものである。このようなタイムベースは通常、水晶共振器とこの水晶共振器を駆動して振動させるための電子回路とを含む発振器で形成されている。より低い周波数を得るために分周チェーンを使用し、発振器によって生成された信号の周波数を分周する。回路の他の部分は、例えば分周チェーンの分周比を調整することによって周波数を調整する働きをする。電子回路の構成要素は、ＣＭＯＳ技術で単一の半導体基板上に集積させることが望ましい。周波数処理に直接関係しない他の機能をも同じ基板に集積することができる。
【０００３】
水晶共振器の利点は、良好な温度安定特性とともに良好な周波数安定性と低消費電力とをもたらす高い品質係数Ｑである。しかしながら、水晶共振器を使用する一般的なタイムベースの欠点は、高精度の周波数を提供するためには２つの構成要素、すなわち水晶共振器と集積電子回路とを必要とするということである。個々の水晶共振器には、多くの場合は不足状況にある基板空間が必要である。例えば、腕時計用途の標準的な水晶共振器には、２×２×６ｍｍ３程度の空間が必要である。さらに、この２つの構成要素の組立及び配線による追加の費用が必要となる。しかしながら、特に成長している携帯用電子機器の分野では、空間及び組立コストは重大な問題である。
【０００４】
従って、本発明の主要な目的は、集積された共振器を含むタイムベースを提供することによって、上に述べた問題の解決方法を提供することである。
【０００５】
本発明の別の目的は、単一の基板上に完全に集積することができ、量産に適しており、ＣＭＯＳ技術と互換性のあるタイムベースを提供することである。
【０００６】
本発明のさらに別の目的は、改善された品質係数Ｑを有し、これにより周波数安定性により優れ、低消費電力の共振器を含むタイムベースを提供することである。
【０００７】
本発明のさらに別の目的は、低価格であり、半導体チップ上で極めて小さな表面積しか必要としないタイムベースを提供することである。
【０００８】
従って、共振器と、共振器を駆動して振動させ、その振動に応答して決められた周波数を有する信号を生成させる集積電子回路とを備え、共振器が基板の上に支持され、基板に対して実質的に平行な平面内で第１の振動モードに応じて振動するように適合された集積されたマイクロメカニカル音叉共振器であり、音叉共振器が、基板から実質的に垂直に延びるベース部材と、ベース部材に接続され、平面内に配置された実質的に平行なフォーク状刃の少なくとも第１の組を含むフリースタンディング振動構造体と、フォーク状刃に隣接して配置され、集積電子回路に接続された電極構造体とを備えるタイムベースが提供される。
【０００９】
本発明によるタイムベースの利点は、マイクロメカニカル音叉共振器が高い品質係数Ｑを示すことである。従来の水晶共振器を使用して得られた品質係数と同程度の５０，０００にも及ぶ品質係数が計測された。
【００１０】
品質係数Ｑは、振動する共振器材料の空気摩擦及び固有損失によって決まる。空気摩擦は、共振器が真空条件下で動作する場合は無視することができる。固有損失は、材料並びに共振器の設計に左右される。水晶又はシリコンのような結晶体で作られた共振器は、高いＱ振動が可能であることが知られている。さらに、クランプすなわち共振器部分の機械的支持が動的挙動に強い影響を及ぼす。本発明によれば、音叉共振器は、振動中に構造体全体の重心が静止したままであり、フォーク状刃の撓みモーメントを、ベース部材の比較的小さな領域で相殺することができるように設計され、駆動される。
【００１１】
高い品質係数に有利な別の設計機構が従属クレームの目的であり、以下に詳細に説明される。
【００１２】
さらに、予め設定した共振周波数では、音叉共振器を形成するために基板上に必要な表面積は、他の共振器に比べて小さい。例えば、３２ｋＨｚの周波数用に設計された本発明による音叉共振器は、約０．２ｍｍ２のチップ面積を必要とし、これは、本出願と同一出願人による、２０００年１１月１日に出願された同時係属の国際特許出願ＰＣＴ／ＣＨ００／００５８３に記載されている、シリコンリング共振器で必要とされるチップ面積よりも小さい。
【００１３】
本発明の一態様によれば、電子回路は、マイクロメカニカル音叉共振器と共に基板上に集積させることができる。これにより安価なタイムベースがもたらされる。また、ウエーハ・ボンディング技術を用いたバッチ処理において、共振器のウエーハレベルでの真空シールにより安価となる。
【００１４】
音叉構造体は、加速度センサ、回転センサ、又は歪みセンサなどの種々の型式のセンサ用途の共振器構造体として提案されてきた。しかしながら、これらのセンサ構造体は、高精度のタイムベースを得るために、高い品質係数を第１の目的とする、本発明のような同様のガイドラインに従って最適化されてはいない。
【００１５】
Ｙｏｓｈｉｎｏ他による米国特許第５，７４７，６９１号は、例えば、単一の結晶シリコン基板で作られた音叉型振動要素を記載している。音叉の刃は、外力が加わったときに振動に対して垂直にアームが撓むことが可能であるように、厚みのある領域と薄い領域とを有する。共振要素は、センサ用途に対して最適化されている。
【００１６】
Ｆｉｔｚｐａｔｒｉｃｋ他に付与された英国特許第２，３００，０４７号には、三次元動作の検知を提供するための音叉センサ組立体が記載されている。
【００１７】
さらに別の文献は、例えば、Ｊｅｎｓｅｎ他のＷＯ９１／０３７１６、Ｇｒｅｅｎｗｏｏｄ他に付与されたＧＢ２，１６２，３１４、Ｎｏｒｌｉｎｇ他に付与されたＵＳ４，９１２，９９０、又はＢｅｅｂｙ他の「Ｊｏｕｒｎａｌ  ｏｆ  Ｍｉｃｒｏｅｌｅｃｔｒｏｍｅｃｈａｎｉｃａｌ  Ｓｙｓｔｅｍｓ」、Ｖｏｌ．９、Ｎｏ．１、ｐｐ．１０４ｆｆ．の論文などは、両頭の音叉形態のマイクロマシニングされたシリコン共振歪みゲージが記載されている。
【００１８】
しかしながら、上に例示した文献のいずれにも、周波数標準すなわちタイムベースとして動作する当該型式の音叉共振器を振動回路に使用することが示唆され、又は提案されていない。さらに、これらの文献に開示された音叉共振器の多くの設計機構は、周波数安定性と低消費電力が不可欠である計時装置用途に関して好適ではない。
【００１９】
非等方性エッチングされた振動音叉構造体が、発明者らによって既に開示されている。しかしながら、構造体の非等方性エッチングは、必然的にフォーク状刃を異なる長さとし、その結果当該音叉共振器の品質係数の低下をもたらす。このような非等方性エッチングされた音叉共振器の製造方法及び欠点は、「Ｐｒｏｃ．  ｏｆ  Ｅｕｒｏｓｅｎｓｏｒｓ  Ｘｌｌ」、Ｖｏｌ．１（１９９８）、ｐｐ３８１−３８４で公開された、Ｍ．Ｇｉｏｕｓｏｕｆ他による、又は、「Ｓｅｎｓｏｒｓ  ａｎｄ  Ａｃｔｕａｔｏｒｓ  ７６（１９９９）」、ｐｐ４１６−４２４で公開された、Ｍ．Ｇｉｏｕｓｏｕｆ他による、両方とも「Ｓｔｒｕｃｔｕｒｉｎｇ  ｏｆ  Ｃｏｎｖｅｘ  Ｃｏｍｅｒｓ  ｕｓｉｎｇ  ａ  Ｒｅｏｘｉｄａｔｉｏｎ  Ｐｒｏｃｅｓｓ−Ａｐｐｌｉｃａｔｉｏｎ  ｔｏ  ａ  Ｔｕｎｉｎｇ  Ｆｏｒｋ  Ｒｅｓｏｎａｔｏｒ  ｍａｄｅ  ｆｒｏｍ  （１１０）−Ｓｉｌｉｃｏｎ」と題された論文に詳細に説明されている。高精度のタイムベースを形成するためには、この型式の共振構造体は不適当であることは当業者には容易に理解されるであろう。この構造体に関して真空の条件でほぼ１，０００のＱ係数が計測されたが、これは周波数標準としての用途には未だはるかに低すぎる。
【００２０】
本発明による音叉共振器は、消費電力が低く、チップに対する所要面積が非常に少なくてすみ、高い品質係数Ｑを有する振動をもたらすように最適化される。共振器は、１Ｖの低電圧で駆動することができ、これにより携帯用電子機器の電源としてバッテリを使用することができる。さらに、技術プロセスの変化に対する許容誤差を拡張することにより、当該共振器の量産を容易にする設計機構が提示される。
【００２１】
本発明の別の態様によれば、タイムベースによって生成された信号の周波数に対する温度の影響を補償するために、温度計測回路を基板に集積することができる。本発明の音叉共振器は、実質的に線型の温度特性を示す利点を有するので、このような共振器の温度依存性を容易に補償することができる。
【００２２】
本発明のさらに別の態様によれば、温度補償を可能にするための第２のマイクロメカニカル音叉共振器を同一基板上に形成することができる。本発明の別の態様によれば、温度補正はまた、別々の共振周波数を有し、同時に２つの振動モードで動作する単一のマイクロメカニカル音叉共振器を使用することによって達成される。
【００２３】
本発明の他の態様、特徴、及び利点は、添付図面を参照しながら、これに限定されるものではないが、実施例及び実施形態の以下の詳細な説明によって明らかになるであろう。
【００２４】
図１に本発明によるタイムベースの平面図を概略的に示す。ここには、共振器４と、その共振器を駆動して振動させ、及び決められた周波数を有する信号を振動に応答して発生させる集積電子回路３とを含む、全体が参照符号１で示す集積されたタイムベースが示されている。集積電子回路３は、当業者によって容易に設計することができるので、詳細は示されていない。集積電子回路３と共振器４を一緒に同一の基板２上に実装し且つ集積するのが好ましい。好適な基板材料はシリコンであるが、同様に本発明のタイムベースを実施するのに適した、当業者に公知の他の類似の材料を使用することができる。
【００２５】
本発明によれば、共振器４は、モノリシックのマイクロメカニカル音叉共振器の形態で実装される。共振器４は、基板２上に支持されて、基板２に対して平行な平面内で振動するようにされている。音叉共振器４は、基板２から垂直に延びるベース部材５と、基板２に平行に配置された１組の略平行なフォーク状刃７、８を含む、ベース部材５に接続され全体が符号６で示されたフリースタンディング振動構造体とを備える。音叉共振器４と基板２との間の唯一の機械的連結が音叉ベース部材５であり、可動刃７、８がフリーとなっていることは留意する価値がある。
【００２６】
音叉共振器４は、以下で詳細に説明されるように、音叉共振器４を駆動して振動させ、この振動を検知するための電極構造体９をさらに備える。
【００２７】
本発明の好適な実施形態によれば、櫛形構造体７１、８１がフォーク状刃７、８にそれぞれ形成される。これらの櫛形構造体７１、８１は、音叉共振器の電極構造体９の一部を形成し、各々が各フォーク状刃７、８の側部から略垂直に延びる、第１の電極部材７２、８２を含む。図１においては、これらの電極部材７２、８２はフォーク状刃７、８の外側、すなわちフォーク状刃の間に存在する間隙から離れた位置に形成されている。或いは櫛形構造体を、フォーク状刃７、８の内側に形成してもよい。この選択肢では、両フォーク状刃の間に（各フォーク状刃７、８に隣接して）、１つ又は２つの電極を収容するための広い間隙が必要である。間隙がより広くなると、刃間の結合が低下し、望ましい逆位相振動（図５ｂ）の品質係数Ｑが低下する。
【００２８】
電極構造体９は、図１の実施例においてそれぞれ参照符号９１、９２で示された第１及び第２の櫛形電極構造体をさらに備え、これらは、櫛形構造体７１、８１とかみ合うように、基板２上でフォーク状刃７、８に隣接して配置されている。より詳細には、第１の櫛形構造体９１は第２の電極部材９３を含み、第１の電極部材７２が第２の電極部材９３と隣接するように櫛形構造体７１とかみ合い、第２の櫛形構造体９２は第２の電極部材９４を含み、第１の電極部材８２が第２の電極部材９４と隣接するように櫛形構造体８１とかみ合う。
【００２９】
フォーク状刃７、８及び電極構造体９１、９２の両方に形成された櫛形構造体が必ずしも必要でないことは理解されるであろう。しかしながら、かみ合う櫛形構造体を使用すると、低消費電力で高い位相シフトが得られることから特に有利である。さらに、このような櫛形構造体を使用する場合には、共振周波数の印加電圧への依存性が大幅に低減される。
【００３０】
第１の変形形態によれば、第１の櫛形電極構造体９１は、音叉共振器４を電気的に駆動して振動させる働きをし、音叉共振器の反対側に配置された第２の櫛形電極構造体９２は、共振器の振動を容量的に検知する働きをする。従って、導体１１、１２、１３はそれぞれ、第１の櫛形電極構造体９１、第２の櫛形電極構造体９２、及びベース部材５を介して音叉４、それぞれを音叉を共振させるように駆動する振動回路（図示せず）を備えた集積電子回路３に接続する働きをする。結果として得られる高度に安定した周波数信号は、例えば、より低い周波数の信号を得るために発生信号の周波数を分周器で分周することにより、集積回路３を使用してさらに処理することができる。
【００３１】
１つの電極構造体、すなわち電極構造体９１だけが駆動電極として使用されるにもかかわらず、一方のフォーク状刃で誘起された振動が、ベース部材５を介して他方のフォーク状刃へ伝達されるので、フォーク状刃は両方とも駆動されて振動する点に留意されたい。
【００３２】
また、共振器は本質的に２つの平面内基本振動モードを有することも留意されたい。第１の振動モードは、両方の刃が同じ方向に振動する、２つのフォーク状刃の非対称振動である。第２の振動モードは、両方の刃が反対の方向に振動する、２つのフォーク状刃の対称振動である。この２つの平面内振動モードは図５ａ及び図５ｂに概略的に示され、ここでは説明のために振動の振幅が誇張されている。「逆位相」振動モードとして説明されることができる第２の振動モードは、共振構造体の重心が実質的に静止したままであるので、第１の振動モードよりも好適であることが理解されるであろう。第２の振動モードとは反対に、非対称振動モードは高いエネルギー損失を生じ、その結果著しい振動減衰を招くことになる。
【００３３】
別の変形形態によれば、第１及び第２の櫛形電極構造体９１、９２が共に接続され、両構造体とも駆動電極として使用される。それによれば、図５ｂに示されるようにフォーク状刃７、８が逆位相振動で励振されるので好ましい。この場合には、共振器の振動の検知は、インピーダンスを計測し、共振時のインピーダンスのずれを検知することによって行なわれるのが有利である。
【００３４】
共振器の構造は、広範な種々の技術プロセスによって得ることができる。シリコンの表面マイクロマシニング、並びにバルクマイクロマシニングを行なった表面の組み合わせを使用することができる。図２、３、４は、３つの別々のマイクロマシニング技術に従って得られた共振構造の３つの例を示すが、本発明はこれに限定されるものではない。同様に、本発明の音叉共振器を実施するために好適な、当業者に良く知られた他の方法を使用してもよい。図２ａ、３ａ、４ａ及び図２ｂ、３ｂ、４ｂは、それぞれ線Ａ−Ａ’及び線Ｂ−Ｂ’に沿った図２、３、４の共振器の断面図である。
【００３５】
図２は好適な基板２の上に表面マイクロマシニング技術を用いて作られた音叉共振器４を概略的に示しており、この基板はシリコンウエーハであるのが好ましい。この第１の方法によれば、例えば酸化シリコンのような、いわゆる犠牲層の上にポリシリコン層を堆積させる。このポリシリコン層を構造化した後に、犠牲層を部分的に取り除き、フォーク状刃を解放して共振器構造体を形成する。
【００３６】
図２、２ａ、及び２ｂに示された実施例をさらに詳細に参照すれば、第１の絶縁酸化層２０を、例えば半導体基板２上に堆積させる。ポリシリコンなどの第１の導電性材料層３０は、第１の酸化層２０上に堆積させることができる。構造化した後に、この第１の導電性材料層３０は、図に示すように導体１１、１２、１３を、それぞれ第１の電極構造体９１、第２の電極構造体９２、ベース部材５に対して形成する。或いは、導体１１、１２、１３は、基板内又は基板上に不純物添加領域又は金属被膜領域であってもよい。次いで、別の酸化層２２を、第１の酸化層２０及び構造化された層３０の上に堆積させる。この第２の酸化層２２は、第２の酸化層２２内に開口を形成するために選択的にエッチング処理されることにより、下にある導電性材料層３０と電気的に接触することが可能になる。次に、ポリシリコンなどの第２の導電性材料層３２を、第２の（犠牲）酸化層２２の上、並びに酸化層２２内でエッチング処理された接続開口内に堆積させる。
【００３７】
最後に、第２の導電性材料層３２をパターン形成及びエッチング処理して、共振器４の構造体、すなわちベース部材５と、フォーク状刃７、８と、電極構造体９１、９２とを形成する。層３２を構造化した後に、犠牲層２２を部分的に取り除き、フォーク状刃７、８を解放する。図２ａ及び図２ｂに示されるように、犠牲層２２はまた、ベース部材５と電極構造体９１、９２の下で、少なくとも部分的に取り除かれることになることが理解されるであろう。しかしながら、ベース部材５及び電極構造体９１、９２は、酸化層２２のエッチングされていない部分２２ａと、共振器４及び電極構造体９１、９２を下にある導体１１、１２、１３に接続する導電性材料３２ａとによって依然として支持されている。
【００３８】
図３は、例えばいわゆるシリコン・オン・インシュレータ（ＳＯＩ）基板において埋め込み酸化層を使用する、多少異なる方法で作られた音叉共振器４を概略的に示す。シリコン最上層が構造化された後で、フォーク状刃を解放するために酸化層が部分的に取り除かれる。
【００３９】
図３、３ａ、３ｂをより詳細に参照すると、参照符号３５で示されるシリコン最上層は、共振器４及び電極構造体９１、９２を形成するように構造化される。また、任意選択的ではあるが、導体１１、１２、１３を層３５内に形成することができる。シリコン最上層３５が構造化された後に、シリコン層３５のエッチング処理後に露出した下にある絶縁層２５をエッチングして、フォーク状刃７、８を解放する。図に概略的に示されているように、ベース部材５及び電極構造体９１、９２（並びに導体１１、１２、１３）は、フォーク状刃７、８よりも大きな表面積を有するように設計されなければならず、その結果、図３ａ及び図３ｂの断面図に示されるように、絶縁層２５の部分は、エッチング処理の後も依然として残り、下にある絶縁層３５を引き続き支持することになる。
【００４０】
図４は、例えばＳＯＩ基板において埋め込み酸化層を同様に使用する、第３の方法で作られた音叉共振器４を概略的に示す。この場合は、シリコン最上層の構造化の後に、基板の後部をエッチングして、フォーク状刃を解放することが可能になるウインドウを開口する。
【００４１】
図４、４ａ、４ｂをより詳細に参照すると、シリコン最上層３５は、共振器４及び電極構造体９１、９２を形成するように構造化される。このステップは、図３に示された第２の方法に従って実施されたステップと同じである。しかしながらこの後に、例えばＫＯＨ又はＴＭＡＨなどの化学エッチング液を使用して、ウインドウ２７を基板２の後部でエッチングする。次に、開口２６が絶縁層２５内でエッチングされ、これによりフォーク状刃７、８が解放される。これには、フォーク状刃が基板にくっつく恐れがない（周波数が低い程、より長い刃を形成できる）という利点があるが、共振器を真空下で動作させるために、共振器キャビティを基板の両面（上面と下面）でシールする必要があるという欠点を有する。
【００４２】
共振器構造体のチップレベルでの真空シールは、当業者にはよく知られた、陽極接合又はシリコン／シリコン接合などの、バッチ処理技術によって行うことができる。上述の全ての製造技術においては、別の導電性層又は非導電性層を形成するステップを追加することができることは理解されるであろう。さらに、図３及び図４の共振器構造体に関して、シリコン層３５内の導体１１、１２、１３は、構造体のそれぞれの部分に接続された別の導電層によって、又はこの部分に直接ワイヤーボンディングされることよって、置き換えることができる。
【００４３】
既に述べたように、共振器の刃は、好ましくは電極の櫛形構造体とかみ合う櫛形構造体を備える。図６ａは、設計の第１の変形形態による、共振器のフォーク状刃７の自由端７ａの部分詳細図である。この場合、第１のフォーク状刃７及び電極構造体９１の第１及び第２の電極部材７２、９３（並びに図６ａに図示されていない電極部材８２、９４）は、それぞれ円弧形状を有する。円弧の半径は、全振動周期中にフォーク状刃の曲がりライン上の定点の動きに従うように選定され、従って、フォーク状刃７（又は８）上、又は電極構造体９１（又は９２）上の円弧位置の関数である。
【００４４】
図６ｂは、隣接する電極部材間の距離がフォーク状刃の長さに応じて変化する、櫛形構造体設計の別の変形形態の部分詳細図である。より詳細には、隣接する電極間の距離は、フォーク状刃の自由端で短くなっている。隣接する電極間の距離が小さい程、容量結合が局部的に増大し、その結果、刃の対応する部分への静電気力が大きくなる。櫛形構造体をこのような方法で設計することにより、図５に示された好ましい対称性の平面内基本振動モードにとって有利とすることができ、第１高調波における音叉の振動を回避することができる。別の変形形態（図示せず）においては、所望の振動モードで励振させるために、電極部材の長さは、フォーク状刃の長さに応じて変えることができる。上述のように、第１の変形形態の動作によれば、図１の実施形態に示された櫛形電極構造体９１は、音叉共振器を静電的に駆動して振動させる働きをし、反対側の櫛形電極構造体９２は、この機械的振動を容量的に検知する働きをする。電極構造体９１に交流電圧信号が印加され、その結果、第１のフォーク状刃７に静電気力が発生して、これを振動させ、その振動が他方の刃８に伝達される。この第２の刃８の振動は、共振器が動作すると、対向する電極構造体９２の組に交流信号を誘起する。電極構造体９１及び９２は、完全に交換可能であることは理解されるであろう。
【００４５】
共振器を駆動して振動させることに利用される静電駆動原理によれば、電極に印加された電圧と音叉の刃に生じる力との間には、放物線の関係がある。従って、実質的に線形の力−電圧関係を得るために、交流電圧に直流定電圧を加えることが望ましい。図７はこの放物線関係と、交流電圧Ｕａｃの振幅が直流定電圧Ｕｄｃよりもはるかに小さい場合の、交流電圧Ｕａｃに直流定電圧Ｕｄｃを加えることによる力−電圧関係の線形化を概略的に示している。
【００４６】
図１に示された概略図には、音叉型の第１の電極構造体９１、第２の電極構造体９２、及びベース部材５にそれぞれが接続された３つの信号ライン、すなわち導体１１から１３が示されている。
【００４７】
第１の変形形態によれば、導体１３を使用して、ベース部材５を介して音叉共振器に直流電圧成分を印加することができ、一方、交流電圧成分は、導体１１を介して第１の電極構造体９１に印加され、導体１２は、第２の電極構造体９２上に誘起される発生信号を検知するために使用される。第２の変形形態によれば、交流駆動電圧成分及び直流電圧成分は、導体１１を介して第１の電極構造体９１に重畳することができ、一方、音叉共振器は、導体１３を介して、例えば接地などの固定電位に接続される。導体１２はこの場合、信号の検知に使用される。この場合も電極構造体９１と９２は交換可能であり、第２の電極構造体９２を、共振器を駆動して振動させるために使用することができ、第１の電極構造体９１は、検知のために使用されることが同様に理解されるであろう。
【００４８】
或いは、電極構造体９を駆動のためだけに使用することができ、検知は、共振時のインピーダンス変化を検出することによって行ってもよい。例えば、電極構造体９１及び９２は共に接続されてもよく、又は電極構造体を１つだけ使用して共振器を駆動して振動させてもよい。第１の変形形態によれば、交流駆動電圧は電極構造体の組に印加され、直流電圧成分は音叉に印加される。別の変形形態によれば、交流と直流駆動電圧の和を電極構造体の組に印加することができ、音叉はこの場合、例えば接地などの固定電位に接続される。
【００４９】
他の多くの電極構成を使用して、共振器を駆動して振動させ、その結果として発生する動きを検知することができることは当業者には明らかであろう。従って、図１に示す構成は、本発明を限定するものとみなすべきではない。例えば、フォーク状刃の間の間隙は、駆動用電極構造体として又は検知用電極構造体としていずれにも使用することができる電極構造体をその刃の間に収容できるように大きくすることができる。
【００５０】
図８ａから８ｃは、衝撃に際して共振器のフォーク状刃が電極にくっつく（その結果離れなくなる）のを防ぐように意図された、３つの別々の有効な設計機構を示している。図８ａの第１の変形形態によれば、電極部材７２の少なくとも１つ７２＊（電極部材８２に対しても同様に適用）を他のものより長く作ることができ、これにより櫛形構造体７１と櫛形構造体９１とが（又は８１と９３が）、互いに機械的に接触するときの力を低減させることができる。電極部材９３（又は第２のフォーク状刃に対する９４）の１つが他のものより長い場合、同じ効果が得られることは明白である。
【００５１】
或いは、図８ｂに示すように、電極部材７２の先端７２ａ、及び／又は電極部材９３の先端９３ａは、フォーク状刃がくっつくのを防ぐために、先端が鋭い形状、又は少なくとも好適に小さな表面積であるように設計することができる。同様のことが第２のフォーク状刃８及び第２の電極構造体９２にも適用されるのは明白である。
【００５２】
最後に図８ｃの変形形態に示されるように、基板２上に配置された停止構造体２８をフォーク状刃７の自由端７ａの位置に形成することができ、この自由端７ａには、停止用構造体２８と協働する延長部７８が備えられている。この停止構造体２８は、フォーク状刃７の角度方向の動きを制限し、これにより例えば機械的衝撃のため過度の角度方向の動きが生じて、刃が電極構造体９１にくっつくのを防ぐように設計されている。この場合もまた、同様のことが第２のフォーク状刃８にも適用されるのは明らかである。
【００５３】
上述の特徴の全ては、効果的なくっつくことに対する防止機構を得るために好適な方法で組み合わせることができる。
【００５４】
図９及び９ａは、図２、２ａ、及び２ｂに示されたマイクロメカニカル音叉共振器４を改良したものである。図９ａは図９の線Ａ−Ａ’に沿った断面図である。導電性パターン３１が、フリースタンディング振動構造体６すなわちフォーク状刃７及び８の少なくとも一部の下で、基板２の表面上（又は下）に（この場合第１の酸化層２０の上面に）形成される。この導電性パターン３１の形状は、基板２の表面上のフリースタンディング振動構造体６の突出部となる。この導電性パターン３１は、第１の導電性材料層３０の外で導体１１、１２、１３と同時に形成することができる。さらに、導電性パターン３１は、ベース部材５に接続された導体１３と電気的に直接接触することができ、これにより導電性パターン３１とフリースタンディング振動構造体６とを同電位とすることができる。或いは、導電性パターン３１はステップを追加して例えば金属の外に形成してもよい。
【００５５】
導電性パターン３１を接続してフリースタンディング振動構造体６と同電位にすると、音叉共振器４と基板２の表面との間で基板２に対して垂直に働く力を抑制し、印加電圧に依存しない共振周波数をもたらすことになる。このような導電性パターン３１により、刃７、８が基板へくっつくことがより一層防止される。同様の導電性パターンは、図３、３ａ、３ｂ、又は図４、４ａ、及び４ｂに示された共振器のような、別の方法を用いて作られた共振器に対しても追加できることは容易に理解されるであろう。
【００５６】
音叉共振器の共振周波数は、ヤング率Ｅ、密度ρの材料で作られ、長さｌ、幅ｗを有する音叉の共振周波数の次式、いわゆる「Ｋａｒｏｌｕｓ」の式から分かるように、デバイスの幾何学的な寸法、すなわちフォーク状刃の長さと幅を変えることによって、広い範囲にわたって調節することができる。
【数１】
2004515992.tif 000003
上式でｃは、音叉の動作の正確な形状及びモードに依存する定数である。
【００５７】
このような音叉共振器を量産するためには、各チップの共振周波数を小さな許容範囲内に維持することが重要である。上式から容易に分かるように、音叉共振器の共振周波数は、音叉の厚みには依存しない。従って、例えばポリシリコン表面マイクロマシニング技術を使用して作った音叉の共振周波数は、堆積したポリシリコン層の厚みには依存せず、結果としてプロセスの堅牢性が大幅に高められることになる。
【００５８】
プロセスパラメータの僅かな変化による共振周波数の許容誤差は、音叉の寸法を注意深く定めることによって大幅に低減することができる。特に、図１０に概略的に示すように、共振周波数のプロセスパラメータに対する依存性を低減するために、フォーク状刃７、８内に開口６５を形成することができる。実際、例えばエッチング過剰のために、処理後の刃７、８の幅が所望の幅よりも小さい場合は、音叉の共振周波数は突出周波数より低くなる。しかし、同時にフォーク状刃７、８内に形成された開口６５がより大きい場合、これによりフォーク状刃７、８の質量が小さくなり、共振周波数の低下を補償する（共振周波数の上式は、図１０に示すような開口を備えた音叉に対しては当てはまらないことは指摘されるべきである）。エッチング過剰が発生した場合、櫛形構造体７１、８１の電極部材７２、８２は、音叉の共振周波数に対して開口６５と同じ効果を有する。
【００５９】
音叉共振器の品質要因に影響を及ぼさずに、共振周波数に対してより強い影響力を与えるために、開口６５は、刃７、８の自由端７ａ、８ａの近くに形成される。
【００６０】
本発明によるマイクロメカニカル音叉共振器に必要な表面積は得られる共振周波数に対して極めて小さい。例えば３２ｋＨｚの幾分低い周波数用に設計された本発明による音叉共振器には、約０．２ｍｍ２の表面積が必要である。通常の構造では、このような低周波数を得るためには比較的大きな表面積が必要である。予め設定した幾何学的レイアウトでは、寸法と周波数とは反比例の関係にあり、すなわち幾何学的寸法が大きい程周波数が低くなる。
【００６１】
音叉共振器の共振周波数は、０℃から６０℃までの温度範囲で近似的に温度の一次関数である。６５ｋＨｚの共振周波数において、観測された共振周波数の熱係数は−３０ｐｐｍ／℃の程度であった。従って、タイムベースによって生成された信号の周波数を適切に調整することによって、周波数の変化を補償するために使用できる出力信号を有する温度計測回路を、同一の基板に組み込むのが望ましい。
【００６２】
この効果のために、本発明によるタイムベースは、集積された温度計測回路（図示せず）を有利に備えることができる。このような温度計測回路の例は、論文「Ｓｍａｒｔ  Ｔｅｍｐｅｒａｔｕｒｅ  Ｓｅｎｓｏｒ  ｉｎ  ＣＭＯＳ  Ｔｅｃｈｎｏｌｏｇｙ」、Ｐ．  Ｋｒｕｍｅｎａｃｈｅｒ及びＨ．  Ｏｇｕｅｙによる、「Ｓｅｎｓｏｒｓ  ａｎｄ  Ａｃｔｕａｔｏｒｓ」、Ａ２１−Ａ２３（１９９０年）、６３６頁から６３８頁に掲載されている。本論文で、温度補償は、例えば当業者にはよく知られた抑制方法を使用して、分周チェーンの分周比に作用することによって実現される。
【００６３】
或いは、異なる共振周波数を有する２つの音叉共振器を同一のチップ上に集積することができ、このような構成により、２つの共振器の周波数の差異を計測することでチップ温度を正確に決めることが可能になる（両方の音叉共振器は同じ材料で作られるので、同じ温度係数を有する）。有利には、図１１に示されるように、別々の共振周波数を有する２つの音叉共振器４及び４＊は、チップ上の所要表面積を低減するために、同一のベース部材５を共有することができる。
【００６４】
本発明による集積されたタイムベースを使用する利点は２つある。第１に、音叉共振器の温度依存性は線型であり、温度補償に必要な電子信号の処理が容易である。第２に、より重要なことであるが、音叉共振器が小形でモノリシックに集積化されることにより、チップのサイズが僅かに増えるだけで追加の外部接続もなしに第２の共振器を備えることが可能となる。
【００６５】
或いは、本発明の特に有利な実施形態によれば、同時に２つの振動モードで動作する単一の音叉共振器を使用することが可能となる。この２つのモードの第１は、上述の平面内振動モード（図５ｂ）である。第２の振動モードは、フォーク状刃７、８が基板平面に対して実質的に垂直の振動をする垂直振動モードとすることができる。この垂直振動モードは、音叉刃の下の基板上の別の電極を使用して、静電的に励振し、容量的に検知することができる。この２つのモードは、温度に直接関連する周波数差を計測することによって温度補償を実現することができるように、異なる周波数を有するように選択される。垂直振動モード及び平面内振動モード用の異なる共振周波数は、フォーク状刃の長方形の断面を選択することによって、得ることができる。
【００６６】
好適には垂直振動モードは、刃が反対方向に振動するフォーク状刃の非対称垂直振動モードで構成すべきである。実際、ベース５上の両フォーク状刃によって振動中に作用する力は、非対称垂直振動の場合は互いに相殺されるが、これに対してフォーク状刃が同一方向に垂直振動する場合は合算されて、エネルギー損失が増大することになり、その結果、品質係数が低下する。しかしながら垂直振動モードはまた、フォーク状刃の対称垂直振動を構成することもできる。
【００６７】
図１２、１２ａ、１２ｂは、フォーク状刃が反対方向に垂直振動することが可能な電極構成の概略図である。図に示されるように、２組の電極１００及び１２０が、フォーク状刃７、８の下の表面上、又は表面領域内に配置されている。第１の電極の組１００は、フォーク状刃７、８を駆動して垂直振動させ、第２の電極の組１２０は、この垂直振動を検知する。駆動電極の組１００は、フォーク状刃７、８の自由端部の下に配置され、一方検知電極の組１２０は、フォーク状刃７、８の下のベース部材５と駆動電極の組１００との間に配置されている。しかしながら、電極１００と１２０は完全に交換可能であることは理解されるであろう。
【００６８】
より詳細には、図に示されるように、フォーク状刃が互いに反対方向に振動するように該フォーク状刃を駆動して振動させるために、駆動電極の組１００を図のように各々のフォーク状刃７、８の下に配置された２つの電極に分割して、この２つの電極に逆の位相信号を供給することが好ましい。同様に検知電極の組１２０を２つの電極の組に分割し、２つの電極に逆位相の信号を供給することは明らかである。
【００６９】
本発明をある特定の実施形態に関して説明したが、これらの実施形態は本発明を限定するものではないことは理解すべきである。実際、添付の請求項の精神及びその範囲を逸脱することなく、種々の変更及び／又は改良ができることは当業者には明白であろう。
【図面の簡単な説明】
【図１】マイクロメカニカル音叉共振器と集積電子回路とを備える本発明によるタイムベースを概略的に示す平面図である。
【図２】シリコン表面マイクロマシニング技術によって実施したマイクロメカニカル音叉共振器を備える、図１のタイムベースの第１の実施形態の平面図と、その実施形態のＡ−Ａ’線に沿った断面図（ａ）と、Ｂ−Ｂ’線に沿った断面図（ｂ）である。
【図３】シリコン・オン・インシュレータ（ＳＯＩ）基板のような、埋め込み酸化層を有する基板を使用して作られたマイクロメカニカル音叉共振器を備える、図１のタイムベースの第２の実施形態の平面図と、その実施形態のＡ−Ａ’線に沿った断面図（ａ）と、Ｂ−Ｂ’線に沿った断面図（ｂ）である。
【図４】フォーク状刃を解放するために、埋め込み酸化層を有する基板を使用し、基板の後部をエッチングすることによって作られたマイクロメカニカル音叉共振器を備えた、図１のタイムベースの第３の実施形態の平面図と、その実施形態のＡ−Ａ’線に沿った断面図（ａ）と、Ｂ−Ｂ’線に沿った断面図（ｂ）である。
【図５】フォーク状刃が、非対称すなわち「同位相」の様態で振動する第１の平面内振動モードを示す図（ａ）と、フォーク状刃が、対称すなわち「逆位相」の様態で振動する第２の平面内振動モードを示す図（ｂ）である。
【図６】櫛型形状の電極構造設計の実施例を示す部分平面図である。
【図７】電極に印加された電圧と、結果としてフォーク刃に発生する静電気力との間の関係を示す図である。
【図８】音叉の刃が電極構造体にくっつくことを防ぐように意図された設計の部分平面図である。
【図９】図２に示す第１の実施形態の改良を示す平面図とその線Ａ−Ａ’に沿った断面図（ａ）である。
【図１０】開口を有する共振器のフォーク刃の部分を示す。
【図１１】同じベース部材を共有し、２つの別々の共振周波数を示すように設計された２つの音叉共振器を示す。
【図１２】フォーク状刃が基板平面に対して反対方向に垂直振動する、第２の振動モードを示す平面図と、その線Ａ−Ａ’に沿った断面図（ａ）と、線Ｂ−Ｂ’に沿った断面図（ｂ）である。
【図１】
2004515992.tif 000004
【図２】
2004515992.tif 000005
【図３】
2004515992.tif 000006
【図４】
2004515992.tif 000007
【図５】
2004515992.tif 000008
【図６】
2004515992.tif 000009
【図７】
2004515992.tif 000010
【図８】
2004515992.tif 000011
【図９】
2004515992.tif 000012
【図１０】
2004515992.tif 000013
【図１１】
2004515992.tif 000014
【図１２】
2004515992.tif 000015
【国際公開パンフレット】
2004515992.tif 000016
2004515992.tif 000017
2004515992.tif 000018
2004515992.tif 000019
2004515992.tif 000020
2004515992.tif 000021
2004515992.tif 000022
2004515992.tif 000023
2004515992.tif 000024
2004515992.tif 000025
2004515992.tif 000026
2004515992.tif 000027
2004515992.tif 000028
2004515992.tif 000029
2004515992.tif 000030
2004515992.tif 000031
2004515992.tif 000032
2004515992.tif 000033
2004515992.tif 000034
2004515992.tif 000035
2004515992.tif 000036
2004515992.tif 000037
2004515992.tif 000038
2004515992.tif 000039
2004515992.tif 000040
2004515992.tif 000041
2004515992.tif 000042
2004515992.tif 000043
2004515992.tif 000044
2004515992.tif 000045
2004515992.tif 000046
【手続補正書】
【提出日】平成14年9月16日(2002.9.16)
【手続補正１】
【補正対象書類名】明細書
【補正対象項目名】特許請求の範囲
【補正方法】変更
【補正の内容】
【特許請求の範囲】
【請求項１】
共振器（４）と、
該共振器（４）を駆動して振動させ、その振動に応答して決められた周波数の信号を生成させる集積電子回路（３）と、
を備え、
前記共振器が基板（２）の上に支持され、基板（２）に対して実質的に平行な平面内で第１の振動モードで振動するように適合された集積されたマイクロメカニカル音叉共振器（４）であり、
その音叉共振器（４）が、
前記基板（２）から実質的に垂直に延びるベース部材（５）と、
前記ベース部材（５）に接続され、前記平面内に配置された実質的に平行なフォーク状刃（７、８）の少なくとも第１の組を含むフリースタンディング振動構造体（６）と、
前記フォーク状刃（７、８）に隣接して配置され、前記集積電子回路（３）に接続された電極構造体（９）と、
を備えるタイムベースであって、
そのタイムベースがさらに、前記フォーク状刃（７、８）の各々が、前記平面内に配置され、前記フォーク状刃（７、８）の第１の側部から実質的に垂直に延びる第１の電極部材（７２、８２）を含む櫛形構造体（７１、８１）を備え、前記電極構造体（９）が、前記フォーク状刃（７、８）の櫛形構造体（７１、８１）とかみ合い、前記第１の電極部材（７２、８２）に隣接する第２の電極部材（９３、９４）を含む少なくとも１つの櫛形電極構造体（９１、９２）を備えることを特徴とするタイムベース。
【請求項２】
前記電子回路（３）が、前記マイクロメカニカル音叉共振器（４）と共に前記基板（２）上に集積されることを特徴とする請求項１に記載のタイムベース。
【請求項３】
前記電極部材（７２、８２、９３、９４）が円弧形状であることを特徴とする請求項１に記載のタイムベース。
【請求項４】
隣接する前記電極部材（７２、８２、９３、９４）の間の距離が、前記フォーク状刃（７、８）の自由端（７ａ、７ｂ）でより短くなるように、前記フォーク状刃（７、８）の長さに沿って変化していることを特徴とする請求項１に記載のタイムベース。
【請求項５】
前記フォーク状刃（７、８）の動きを制限し、衝撃が加えられた場合に前記刃が前記電極構造体（９）にくっつくことを防止するために、前記フォーク状刃（７、８）の各々の自由端（７ａ、７ｂ）に隣接して、停止構造体（２８）が前記基板（２）上に形成されることを特徴とする請求項１に記載のタイムベース。
【請求項６】
衝撃が加えられたときに、前記フォーク状刃（７、８）が前記電極構造体（９）にくっつくのを防ぐために、前記電極部材（７２、８２、９３、９４）の先端（７２ａ、９３ａ）が、鋭い形状、又は少なくとも好適に小さな表面積であることを特徴とする請求項１に記載のタイムベース。
【請求項７】
衝撃が加えられたときに、前記フォーク状刃（７、８）が前記電極構造体（９）にくっつくのを防ぐために、前記電極部材（７２、８２、９３、９４）の少なくとも１つ（７２＊）が他のものより長いことを特徴とする請求項１に記載のタイムベース。
【請求項８】
前記電極構造体が、
前記音叉共振器（４）を駆動して振動させる、前記フォーク状刃（７、８）の第１の刃（７）に隣接する第１の電極構造体（９１）と、
前記音叉共振器（４）の振動から生じる信号を検知する、前記フォーク状刃（７、８）の他方の刃（８）に隣接する第２の電極構造体（９２）と、
を備え、
前記フリースタンディング振動構造体（６）が、前記ベース部材（５）を介して固定電位に接続され、
直流定電圧成分（Ｕｄｃ）が、前記第１の電極構造体（９１）又は前記フリースタンディング振動構造体（６）の一方又は両方に印加されることを特徴とする前記請求項のいずれかに記載のタイムベース。
【請求項９】
前記電極構造体（９）が、前記音叉共振器（４）を駆動して振動させるための、前記フォーク状刃（７、８）の一方又は両方に隣接して配置された少なくとも１つの電極構造体を備え、
前記フリースタンディング振動構造体（６）が、前記ベース部材（５）を介して固定電位に接続され、
前記少なくとも１つの電極構造体（９１、９２）又は前記フリースタンディング振動構造体（６）の一方又は両方に直流定電圧成分（Ｕｄｃ）が印加され、共振時のインピーダンス変化を検出することによって検知が行われることを特徴とする請求項１から請求項７のいずれかに記載のタイムベース。
【請求項１０】
前記第１の振動モードは、フォーク状刃（７、８）の両方が反対方向に振動する、対称振動モードであることを特徴とする、前記請求項のいずれかに記載のタイムベース。
【請求項１１】
実質的に前記フリースタンディング振動構造体（６）の形状を有する導電性パターン（３１）が、前記フリースタンディング振動構造体（６）の少なくとも一部の下で、前記基板（２）の表面上に形成され、前記フリースタンディング振動構造体（６）と前記導電性パターンとが同電圧になることを特徴とする請求項１に記載のタイムベース。
【請求項１２】
前記音叉共振器（４）の共振周波数に対する、エッチング不足又はエッチング過剰の影響を実質的に補償するために、前記フォーク状刃（７、８）に開口（６５）が形成されることを特徴とする請求項１に記載のタイムベース。
【請求項１３】
前記タイムベースによって生成された信号の周波数に対して、温度の影響を補償することを意図する集積された温度計測回路をさらに備えることを特徴とする前記請求項のいずれかに記載のタイムベース。
【請求項１４】
前記基板の上に支持され、第１の共振器の共振周波数とは異なる共振周波数で振動するように適合された、第２のマイクロメカニカル音叉共振器（４＊）をさらに備え、前記タイムベースによって生成された信号の周波数に対して温度の影響を補償するために、両方の共振周波数間の温度依存周波数の差を使用することを特徴とする請求項１から請求項１３のいずれかに記載のタイムベース。
【請求項１５】
前記第１及び第２の音叉共振器（４、４＊）が同一のベース部材（５）を共用することを特徴とする請求項１４に記載のタイムベース。
【請求項１６】
前記第１の振動モードの共振周波数とは異なる共振周波数を有する第２の振動モードを駆動し且つ検知するように、前記フリースタンディング振動構造体（６）下に電極（１００、１２０）が配置され、前記タイムベースによって生成された信号の周波数に対する温度の影響を補償するために、両方の振動モードの共振周波数間の温度依存周波数の差を使用することを特徴とする請求項１から請求項１３のいずれかに記載のタイムベース。
【請求項１７】
前記第２の振動モードは、フォーク状刃（７、８）の両方が前記基板（２）に対して実質的に垂直な、反対方向に振動する垂直振動モードであることを特徴とする請求項１６に記載のタイムベース。
【請求項１８】
前記基板（２）及び前記音叉共振器（４）が、シリコン材料で作られることを特徴とする前記請求項のいずれかに記載のタイムベース。
【国際調査報告】
2004515992.tif 000047
2004515992.tif 000048
2004515992.tif 000049